(57)【特許請求の範囲】
【請求項１】
ＬＥＤと、
該ＬＥＤと直列に接続されて当該ＬＥＤに流れる電流を制限するための１個の電流制限抵抗と、を有し、
前記電流制限抵抗の一端に接続可能な一端側接続部及び、前記電流制限抵抗の他端に接続可能な他端側接続部、を有し、
前記一端側接続部と前記他端側接続部とのうち少なくとも一方が複数設けられ、
前記電流制限抵抗の一端及び他端が、前記一端側接続部及び前記他端側接続部のそれぞれ１つと接続されていることを特徴とする発光装置。
【請求項２】
前記一端側接続部と前記他端側接続部とのうち他方が複数設けられ、
前記一端側接続部が並んで設けられ、
前記他端側接続部が、前記一端側接続部が並ぶ列に並設するように設けられていることを特徴とする請求項１に記載の発光装置。
【請求項３】
前記一端側接続部及び前記他端側接続部が、交互になるように並んで設けられていることを特徴とする請求項１に記載の発光装置。
【発明の詳細な説明】
【技術分野】
【０００１】
本発明は、発光装置に関する。
【背景技術】
【０００２】
従来、バックライトの光源が発光ダイオードで形成された液晶表示装置が開示されている（例えば、特許文献１を参照）。発光ダイオードは、その特性上、色度等のばらつきが大きい。特許文献１には、発光ダイオードの公差内の色度ランクを予め明示しておき、該ランクに応じてガンマ特性を補正できるようにして、色度のばらつきを抑制する技術が開示されている。
【０００３】
発光ダイオードの色度ランクの明示は、フレキシブル回路基板に被着形成されたダミー抵抗によってなされている。ダミー抵抗は、例えば３個の並設された抵抗からなり、これらダミー抵抗の組み合わせにより、１つのランクを明示するようになっている。
【先行技術文献】
【特許文献】
【０００４】
【特許文献１】特開２０１０−１８１４３０
【発明の概要】
【発明が解決しようとする課題】
【０００５】
しかしながら、特許文献１に開示された従来の液晶表示装置は、色度ランクとしての情報を明示するためのダミー抵抗が必要である。即ち、情報を明示するための新たなランク表示用部品（ダミー抵抗）を用意する必要があり、部品点数の増加による製造コストや製造工数の増加を招いていた。
【０００６】
本発明の目的は、新たなランク表示用部品を用いずともＬＥＤのランクの明示を可能とする発光装置を提供することにある。
【課題を解決するための手段】
【０００７】
上記目的を解決するために本発明は以下の構成を備える。
即ち、請求項１に記載の本発明は、ＬＥＤと、該ＬＥＤと直列に接続されて当該ＬＥＤに流れる電流を制限するための１個の電流制限抵抗と、を有し、前記電流制限抵抗の一端に接続可能な一端側接続部及び、前記電流制限抵抗の他端に接続可能な他端側接続部、を有し、前記一端側接続部と前記他端側接続部とのうち少なくとも一方が複数設けられ、前記電流制限抵抗の一端及び他端が、前記一端側接続部及び前記他端側接続部のそれぞれ１つと接続されていることを特徴とする発光装置である。
【０００８】
請求項２記載の本発明は、請求項１に記載の本発明において、前記一端側接続部と前記他端側接続部とのうち他方が複数設けられ、前記一端側接続部が並んで設けられ、前記他端側接続部が、前記一端側接続部が並ぶ列に並設するように設けられていることを特徴とする。
【０００９】
請求項３記載の本発明は、請求項１に記載の本発明において、前記一端側接続部及び前記他端側接続部が、交互になるように並んで設けられていることを特徴とする。
【発明の効果】
【００１０】
請求項１に記載の本発明によれば、一端側接続部と他端側接続部とのうち少なくとも一方が複数設けられているため、電流制限抵抗を実装可能な場所（実装スペース）が複数あり、これら実装スペースのうち電流制限抵抗が実装された場所によりＬＥＤのランクを識別することができる。従って、従来技術の如く、新たなランク表示用部品を用意せずとも、ＬＥＤのランクを明示することができる。従って、新たなランク表示用部品を用いない分だけ製造コストや製造工数の低減を図ることができる。
【００１１】
請求項２に記載の本発明によれば、一端側接続部と他端側接続部とのうち他方が複数設けられ、一端側接続部が並んで設けられ、他端側接続部が、一端側接続部が並ぶ列に並設するように設けられている。これによれば、実装スペースが複数あり、これら複数の実装スペースのうち電流制限抵抗が実装された場所により、ＬＥＤのランクを識別できる構成を実現することができる。
【００１２】
ここで、識別するランク数と実装スペースの数が同じ数、或いは、ランク数よりも実装スペースの数が多くなるように、一方及び他方の形成数は決定してもよい。一方及び他方は同じ数だけ形成されていてもよく、異なる数となるように形成されていてもよい。また、一方及び他方は、隣接する一方間の寸法や隣接する他方間の寸法が同じ寸法となるように形成されていてもよく、異なる寸法となるように形成されていてもよい。例えば、隣接する実装スペース同士が重ならないように一方及び他方を配置してもよく、隣接する実装スペース同士が重なるように一方及び他方を配置してもよい。隣接する実装スペース同士が重ならないように一方及び他方が配置された場合には、電流制限抵抗が何れの場所に実装されたかが瞭然となる。つまり、わかり易い。これに対して、隣接する実装スペース同士が重なるように一方及び他方が配置された場合には、基板の小型化、即ち装置の小型化を図ることができる。
【００１３】
請求項３に記載の本発明によれば、一端側接続部及び他端側接続部が、交互になるように並んで設けられている。これにより、隣接する実装スペースの境界に位置する一端側接続部又は他端側接続部を２つの実装スペースが共有できる。このように一方を２つの実装スペースが共有することで、一方における、一端側接続部と他端側接続部が並ぶ方向の寸法分だけ基板の小型化、即ち装置の小型化を図ることができる。
【図面の簡単な説明】
【００１４】
【図１】本発明の第１実施形態の発光装置を示す構成図である。
【図２】図１に示された発光装置の概念図である。
【図３】本発明の第２実施形態における発光装置の概念図である。
【発明を実施するための形態】
【００１５】
（第１実施形態）
以下、本発明の第１実施形態の発光装置を、図１、２を参照して説明する。図１は、本発明の第１実施形態の発光装置を示す構成図である。図２は、図１に示された発光装置１の概念図である。
【００１６】
発光装置は、図１に示すように、ＬＥＤ２と、該ＬＥＤ２に流れる電流を制限するための１つの電流制限抵抗３と、これらＬＥＤ２と電流制限抵抗３とを接続するための導体パターン４と、を有して構成されている。導体パターン４は基板（不図示）に形成されている。この導体パターン４は、ＬＥＤ２と電流制限抵抗３とを直列に接続するように構成されている。導体パターン４は、電流制限抵抗３の一端に接続可能な一端側ランド５（一端側接続部）及び、電流制限抵抗３の他端に接続可能な他端側ランド６（他端側接続部）を有している。本実施形態では、一端側ランド５及び他端側ランド６は、対となるように同じ数ずつ設けられている。
【００１７】
ここで、発光装置１は、ＬＥＤ２の光度ランクを明示するための装置である。なお、本実施形態では、識別すべき光度［ｃｄ］は３ランクである。このため、本実施形態では、一端側ランド５及び他端側ランド６が各３個設けられている。つまり、識別する光度ランクと同じ数だけ、一端側ランド５及び他端側ランド６の組（対）が設けられている。
【００１８】
一端側ランド５は、３個の一端側ランド５１、５２、５３（５）が直線上に並んで設けられ、他端側ランド６は、３個の他端側ランド６１、６２、６３（６）が直線上に並んで設けられ、３個の一端側ランド５１、５２、５３により構成された列と、３個の他端側ランド６１、６２、６３により構成された列と、が並設されている。また、対になる一端側ランド５と他端側ランド６との離間寸法Ｌ１（図１、２における紙面方向左右の離間寸法）は、電流制限抵抗３を実装可能なスペース（実装スペースＳ１、Ｓ２、Ｓ３（Ｓ）と記す）であり、電流制限抵抗３が導体パターン４に接続可能な所定の寸法と成るように形成されている。実装スペースＳは基板の３箇所に設けられている。基板の３箇所にある実装スペースＳ１、Ｓ２、Ｓ３は、対になる一端側ランド５と他端側ランド６との所定の離間寸法Ｌ１が全て略等しくなるように形成されている。そして、電流制限抵抗３が、基板の３箇所にある実装スペースＳ１、Ｓ２、Ｓ３のうちどの場所に実装されるかによって、ＬＥＤ２の光度ランクが識別される。
【００１９】
例えば、実装スペースＳ１に電流制限抵抗３が実装された場合は、ＬＥＤ２の光度ランクは「Ａ」であり、実装スペースＳ２に電流制限抵抗３が実装された場合は、ＬＥＤ２の光度ランクは「Ｂ」であり、実装スペースＳ３に電流制限抵抗３が実装された場合は、ＬＥＤ２の光度ランクは「Ｃ」である。そして、実装スペースＳ１、Ｓ２、Ｓ３のうち、いずれの位置にある実装スペースＳ１、Ｓ２、Ｓ３に電流制限抵抗３が実装されたかによって、ＬＥＤ２の光度ランクが識別される。第１実施形態では、図１、図２に示すように、ＬＥＤ２は、実装スペースＳ１に実装されているから、ＬＥＤ２の光度ランクは「Ａ」であることがわかる。
【００２０】
また、本実施形態では、図１に示すように、隣接する一端側ランド５間の（紙面方向上下の）寸法Ｔ１は同じとなるように、隣接する他端側ランド６間の寸法Ｔ２は同じとなるように形成され、寸法Ｔ１と寸法Ｔ２は同じ寸法となるように形成されているとともに、これら寸法Ｔ１、Ｔ２は、隣接する実装スペースＳ１、Ｓ２、Ｓ３同士が図１、２における紙面方向の上下に重ならない程度の寸法となるように形成されている。このように実装スペースＳ１、Ｓ２、Ｓ３が紙面方向の上下に重ならずにあることで、電流制限抵抗３が実装スペースＳ１、Ｓ２、Ｓ３のうち、何れの場所に実装されたかが瞭然となる。つまり、どの実装スペースＳ１、Ｓ２、Ｓ３に電流制限抵抗３が実装されているのか、わかり易くできる。
【００２１】
導体パターン４は、図２に示すように、第１分岐部４１と、第２分岐部４２と、を有し、これらの間が実装スペースＳ１、Ｓ２、Ｓ３となるように所定の寸法Ｌ１をあけて設けられている。第１分岐部４１は、第２分岐部４２よりもＬＥＤ２から離れた位置に設けられ、第２分岐部４２は、第１分岐部４１よりもＬＥＤ２に近い位置に設けられている。そして、第１分岐部４１は、一端から電力が供給されるとともに、他端を３個の一端側ランド５に分岐させるように構成されている。第２分岐部４２は、一端がＬＥＤ２に接続され、他端を３個の他端側ランド６に分岐させるように構成されている。そして、第１分岐部４１における３個の他端はそれぞれ一端側ランド５１、５２、５３を構成し、第２分岐部４２における３個の他端はそれぞれ他端側ランド６１、６２、６３を構成している。
【００２２】
次に、本実施形態の作用・効果について説明する。
【００２３】
このような発光装置１によれば、図１、図２に示すように、ＬＥＤ２は、実装スペースＳ１に実装されているから、ＬＥＤ２の光度ランクは「Ａ」であることがわかる。即ち、これら実装スペースＳ１、Ｓ２、Ｓ３のうち、電流制限抵抗３が実装された場所（実装スペースＳ１）によりＬＥＤ２の光度ランクを識別することができる。従って、新たなランク表示用部品を用意せずとも、ＬＥＤ２の光度ランクを明示することができる。従って、ランク表示用部品を用いない分だけ製造コストや製造工数の低減を図ることができる。
【００２４】
なお、上述した実施形態では、３組の一端側ランド５及び他端側ランド６が設けられ、３箇所に実装スペースＳが形成されていたが、本発明はこれに限定されるものではない。対と成るように同じ数だけ形成された一端側ランド５及び他端側ランド６が、２以上設けられていればよく、４以上設けられていてもよい。ここで、識別するランク数と実装スペースＳの数が同じ数、或いは、ランク数よりも実装スペースＳの数が多くなるように、各一端側ランド５及び各他端側ランド６の形成数は決定してもよい。即ち、一端側ランド５及び他端側ランド６は同じ数だけ形成されていてもよく、異なる数となるように形成されていてもよい。例えば、一端側ランドが１個設けられ、他端側ランド６が３個であった場合において、一端側ランドが電流制限抵抗３の一端に接続される場所として用い、３個の他端側ランド６１、６２、６３のうち、どの他端側ランド６１、６２、６３に、電流制限抵抗３の他端が接続されるかによって、ＬＥＤ２の光度ランクを識別するように構成してもよい。
【００２５】
また、上述した実施形態では、一端側ランド５及び他端側ランド６は、隣接する一端側ランド５（他端側ランド６）間の寸法Ｔ１（Ｔ２）や隣接する他端側ランド６（一端側ランド５）間の寸法Ｔ２（Ｔ１）が同じ寸法（Ｔ１＝Ｔ２）となるように形成されていたが、本発明はこれに限定されるものではない。隣接する一端側ランド５（他端側ランド６）間の寸法Ｔ１（Ｔ２）や隣接する他端側ランド６（一端側ランド５）間の寸法Ｔ２（Ｔ１）が異なる寸法（Ｔ１≠Ｔ２）となるように形成されていてもよい。
【００２６】
また、上述した実施形態では、隣接する実装スペースＳ１、Ｓ２、Ｓ３同士が重ならないように一端側ランド５及び他端側ランド６が配置されているが、本発明はこれに限定されるものではない。隣接する実装スペースＳ１、Ｓ２、Ｓ３同士が重なるように一端側ランド５及び他端側ランド６を配置してもよい。このように、隣接する実装スペースＳ１、Ｓ２、Ｓ３同士が重なるように一端側ランド５及び他端側ランド６が配置された場合には、基板の小型化、即ち発光装置１の小型化を図ることができる。
【００２７】
また、上述した実施形態は、ＬＥＤ２の光度ランクを識別するための装置であるが、本発明はこれに限定されるものではない。ＬＥＤ２の光束［ｌｍ］、輝度［ｃｄ／ｍ2］、色調のランク（ランクの設定は発光色によって異なる）を識別するための装置であってもよく、或いは、ＬＥＤ２の機能、性能、スペックを識別するための種々のランク表示に適用してもよい。
【００２８】
（第２実施形態）
続いて、本発明の第２実施形態にかかる発光装置を、図３を参照して説明する。図３は、本発明の第２実施形態の発光装置を示す概念図である。なお、前述した第１実施形態と同一形状乃至同一機能を有する部位には、同一符号を付して説明を省略する。第１実施形態の発光装置１と第２実施形態の発光装置１０との違いは、複数（図示では２個）の一端側ランド７及び、複数（図示では２個）の他端側ランド８の配置関係の違いにある。
【００２９】
第２実施形態にかかる発光装置１０において、図３に示すように、２個の一端側ランド７１、７２（７）と２個の他方側ランド８１、８２（８）が交互になるように直線上に並んで設けられている。隣接する一端側ランド７と他端側ランド８との離間寸法Ｌ１（図３における紙面方向左右の離間寸法）は、電流制限抵抗３を実装可能なスペース（実装ペースＳ１、Ｓ２、Ｓ３（Ｓ）と記す）であり、電流制限抵抗３が導体パターン１４に接続可能な所定の寸法と成るように形成されている。実装スペースＳは基板の３箇所に設けられている。基板の３箇所にある実装スペースＳ１、Ｓ２、Ｓ３は、隣接する一端側ランド７と他端側ランド８との所定の離間寸法Ｌ１が全て略等しくなるように形成されている。そして、電流制限抵抗３が、基板の３箇所にある実装スペースＳ１、Ｓ２、Ｓ３のうちどの場所に実装されるかによって、ＬＥＤ２の光度ランクが識別される。
【００３０】
このような発光装置１０によれば、隣り合う実装スペースＳ１、Ｓ２、Ｓ３（Ｓ）の境界に位置する一端側ランド７１（他端側ランド８１）を、２つの実装スペースＳが共有できる。このように隣り合う実装スペースＳ１、Ｓ２、Ｓ３（Ｓ）の境界に位置する一端側ランド７１（他端側ランド８１）を２つの実装スペースが共有することで、一端側ランド７１（他端側ランド８１）における、一端側ランド７と他端側ランド８が並ぶ方向（図３における紙面方向左右）の寸法分だけ基板の小型化、即ち装置の小型化を図ることができる。
【００３１】
なお、上述した第２実施形態では、一端側ランド７１、７２及び他端側ランド８１、８２が交互になるように直線上に並んで設けられている。そして、発光装置１０は、これら一端側ランド７１、７２及び他端側ランド８１、８２の数が合計で４個設けられ、実装スペースＳ１、Ｓ２、Ｓ３が基板の３箇所に設けられている。一方、第１実施形態の発光装置１は、３組の一端側ランド５及び他端側ランド６（合計６個のランド）により、実装スペースＳ１、Ｓ２、Ｓ３が３箇所に設けられている。このことから、第２実施形態の発光装置１０は、第１実施形態の発光装置１よりもランド（電流制限抵抗３に対する接続部）の数が２少なくとも、同じ数だけ実装スペースＳを得ることができるから、一端側ランド７及び他端側ランド８が並ぶ方向（図３における紙面方向左右）に基板の小型化、即ち発光装置１０の小型化を図ることができる。
【００３２】
また、上述した第２実施形態では、一端側ランド７及び他端側ランド８は同じ数だけ設けられているが、本発明はこれに限定されるものではない。一端側ランド７と他端側ランド８とのうち何れか一方の数が、他方よりも１だけ少なくなるように形成されていてもよい。
【００３３】
また、上述した第２実施形態では、一端側ランド７１、７２及び他端側ランド８１、８２が交互になるように直線上に並んで設けられているが、本発明はこれに限定されるものではない。一端側ランド７１、７２及び他端側ランド８１、８２が交互になるように円弧状に並んで設けられていてもよく、一端側ランド７１、７２及び他端側ランド８１、８２が上下に位置をずらしたジグザグ形状となるように並んで設けられていてもよい。
【００３４】
なお、請求の範囲に特定された「電流制限抵抗」は、一端側ランド５、７（一端側接続部）及び、他端側ランド６、８（他端側接続部）に接続されるものである。従って、一端側ランド５、７（一端側接続部）及び、他端側ランド６、８（他端側接続部）に接続されていない電流制限抵抗は、請求の範囲に特定された「電流制限抵抗」ではない。
【００３５】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の発光装置の構成を具備する限り、勿論、本発明の範疇に含まれるものである。
【符号の説明】
【００３６】
１、１０    発光装置
２          ＬＥＤ
３          電流制限抵抗
５、７      一端側ランド（一端側接続部）
６、８      他端側ランド（他端側接続部）
【図１】
0006626326.tif 000002
【図２】
0006626326.tif 000003
【図３】
0006626326.tif 000004